【手続補正書】
【提出日】平成19年8月30日(2007.8.30)
【手続補正１】
【補正対象書類名】特許請求の範囲
【補正対象項目名】全文
【補正方法】変更
【補正の内容】
【特許請求の範囲】
【請求項１】
ａ．被験者を準備するステップ、
ｂ．被験者の試験眼を無色化するステップ、
ｃ．被験者の試験眼に標的刺激を提示するステップ、
ｄ．少なくとも１つの閾値測定値を得ることにより標的刺激に対する被験者の応答を測定するステップ、
ｅ．少なくとも１つの閾値測定値をノイズ減少プロトコルにかけるステップ
を含む被験者の暗順応の精神身体的測定方法。
【請求項２】
ノイズ減少プロトコルが非破壊的ノイズ減少プロトコルである請求項１に記載の方法。
【請求項３】
非破壊的ノイズ減少プロトコルが閾値ガイダンス、曲線ガイダンスまたはその組み合わせである請求項２に記載の方法。
【請求項４】
閾値ガイダンスが推定閾値測定値をベース閾値測定値または前記ベース閾値測定値のモデル適合と比較し、推定閾値測定値がベース閾値測定値またはモデル適合の所定ウィンドウ内に入るかを調べ、前記ウィンドウ内に入らない推定閾値測定値を捨てるかまたは前記ウィンドウ内に入らない推定閾値測定値を置換することを含む請求項３に記載の方法。
【請求項５】
曲線ガイダンスが少なくとも１つの閾値測定値を前記した少なくとも１つの閾値測定値または前記した少なくとも１つの閾値測定値のモデル適合にアンカーしている規定幅の統計的関数にかけ、前記幅に入らない閾値を捨てることを含む請求項３に記載の方法。
【請求項６】
更に、被験者の少なくとも１つの閾値測定値を適切に選択した比較データベースからの対応閾値測定値と比較して、被験者の暗順応を測定することを含む請求項１に記載の方法。
【請求項７】
更に、
ａ．少なくとも１つの閾値測定値を適切な暗順応モデルに適合することにより前記した少なくとも１つの閾値測定値から被験者の少なくとも１つの指標ファクターを測定し、
ｂ．前記した被験者の少なくとも１つの指標ファクターを適切に選択した比較データベースからの対応指標ファクターと比較して、被験者の暗順応状態を測定することを含む請求項１に記載の方法。
【請求項８】
被験者について求めた少なくとも１つの閾値測定値が障害基準を満たすならば、暗順応状態は害されていると見なされる請求項６に記載の方法。
【請求項９】
比較ステップを健康な個人から構成されている比較データベースからの規定群を用いて実施し、被験者について求めた少なくとも１つの閾値測定値の１つ以上が比較データベースからの対応閾値測定値の基準範囲を外れているときに障害基準を満たす請求項８に記載の方法。
【請求項１０】
比較ステップを病的状態と診断された個人から構成されている比較データベースからの規定群を用いて実施し、被験者について求めた少なくとも１つの閾値測定値の１つ以上が比較データベースからの対応閾値測定値の基準範囲内に入るときに障害基準を満たす請求項８に記載の方法。
【請求項１１】
被験者について求めた少なくとも１つの指標ファクターが障害基準を満たしているならば暗順応状態が害されていると見なされる請求項７に記載の方法。
【請求項１２】
比較ステップを健康な個人から構成されている比較データベースからの規定群を用いて実施し、被験者について求めた少なくとも１つの指標ファクターが比較データベースからの対応指標ファクターの基準範囲を外れているときに障害基準を満たす請求項１１に記載の方法。
【請求項１３】
比較ステップを病的状態と診断された個人から構成されている比較データベースからの規定群を用いて実施し、被験者について求めた少なくとも１つの指標ファクターが比較データベースからの対応指標ファクターの基準範囲に入っているときに障害基準を満たす請求項１１に記載の方法。
【請求項１４】
基準範囲が平均値±平均値の２標準偏差、切点、レシーバー操作曲線及び信頼区間を含む群から選択される請求項９から１０または１２から１３のいずれかに記載の方法。
【請求項１５】
更に、被験者の暗順応障害状態を用いて、被験者が老人性黄斑変性、ビタミンＡ欠乏症、ソーズビー眼底ジストロフィー、晩発性常染色体優性網膜変性、糖尿病関連網膜障害及び糖尿病性網膜症からなる群から選択される病的状態の恐れがあることを指摘する請求項８または１１のいずれかに記載の方法。
【請求項１６】
更に、被験者の暗順応障害状態を用いて、被験者が老人性黄斑変性、ビタミンＡ欠乏症、ソーズビー眼底ジストロフィー、晩発性常染色体優性網膜変性、糖尿病関連網膜障害及び糖尿病性網膜症からなる群から選択される病的状態を患っていることを指摘する請求項８または１１のいずれか一項に記載の方法。
【請求項１７】
比較データベースを階層化基準に関して階層化し、階層化基準を使用して比較ステップ中に使用するための比較データベース内の個人の規定群を選択する請求項６に記載の方法。
【請求項１８】
比較データベースを階層化基準に関して階層化し、階層化基準を使用して比較ステップ中に使用するための比較データベース内の個人の規定群を選択する請求項７に記載の方法。
【請求項１９】
階層化基準が暗順応状態、危険因子または人口学的因子である請求項１７または１８に記載の方法。
【請求項２０】
危険因子を年齢、喫煙状態、肥満指数及び病的状態に関する状態からなる群から選択する請求項１９に記載の方法。
【請求項２１】
人口学的因子を年齢、人種及び性別からなる群から選択する請求項１９に記載の方法。
【請求項２２】
比較データベースが２０から８５歳の個人から構成されている請求項６、７、１７または１８に記載の方法。
【請求項２３】
比較データベースが２０から４５歳の個人から構成されている請求項６、７、１７または１８に記載の方法。
【請求項２４】
比較データベースが被験者と年齢整合しない個人から構成されている請求項６、７、１７または１８に記載の方法。
【請求項２５】
比較データベースが比較データベースに包含後の規定期間内に暗順応障害を発症すると認められる個人を除いている請求項６、７、１７または１８に記載の方法。
【請求項２６】
規定群が被験者の少なくとも１つの規定特性に基づいて選択する請求項１７または１８に記載の方法。
【請求項２７】
ステップ（ｄ）の測定ステップをステップ（ｂ）の無色化ステップの直後に開始する請求項１に記載の方法。
【請求項２８】
少なくとも１つの閾値測定値を３ダウン−１アップ階段プロトコルを用いて得る請求項１に記載の方法。
【請求項２９】
少なくとも１つの閾値測定値を
ａ．被験者の検査眼に対して第１光強度の標的刺激を当て、標的刺激が目に見えることを伝える被験者からの第１応答を持つことにより第１閾値測定値を獲得すること、
ｂ．前記した第１応答に対して、第１強度から試験刺激の強度を第１の所定量だけ低下させ、標的刺激を被験者の検査眼に当てること、
ｃ．第２光強度の強度を有する標的刺激が目に見えないことを伝える第２応答を被験者が与えるまでステップ（ｂ）の低下を繰り返すこと、
ｄ．標的刺激が目に見えないと伝える第２応答に対して、標的刺激の強度を第２所定量だけ増加させ、標的刺激を被験者の検査眼に当てること、
ｅ．第３光強度の強度を有する標的刺激が目に見えることを伝える第３応答を被験者が与えるまでステップ（ｄ）の増加を繰り返すこと、
ｆ．第３光強度を閾値測定値として記録すること、および、
ｇ．場合により、その後の閾値測定の各々の標的刺激の第１光強度を前の閾値測定値の第３光強度より第３所定量だけ増加させて、ステップ（ａ）から（ｆ）を少なくとも１回繰り返して複数の閾値測定値を得ること
により得る請求項１に記載の方法。
【請求項３０】
第１閾値測定値の標的刺激の第１光強度が４．８５ｃｄ／ｍ２である請求項２９に記載の方法。
【請求項３１】
第１所定量が０．３ｌｏｇ単位である請求項２９に記載の方法。
【請求項３２】
第２所定量が０．１ｌｏｇ単位である請求項２９に記載の方法。
【請求項３３】
第３所定量が０．３ｌｏｇ単位である請求項２９に記載の方法。
【請求項３４】
標的刺激が１から５秒の所定時間間隔で検査眼に当てられる請求項２９に記載の方法。
【請求項３５】
標的刺激が１００から４００ミリ秒の所定期間検査眼に当てられる請求項２９に記載の方法。
【請求項３６】
決定ルールを満足したときに少なくとも閾値測定値の測定を中止し、前記決定ルールは規定期間が経過したとき、被験者の閾値測定値が規定期間にわたり所定量よりも多く変化しないとき、及び被験者の閾値測定値が前に得たベースライン値に戻ったときからなる群から選択する請求項１に記載の方法。
【請求項３７】
決定ルールを満足したときに少なくとも１つの閾値測定値の測定を中止し、前記決定ルールは規定期間が経過したとき、被験者の閾値測定値が規定期間にわたり所定量よりも多く変化しないとき、被験者の閾値測定値が前に得たベースライン値に戻ったとき、被験者の閾値測定値の比較データベースへの十分に近似な整合が規定期間になされ得ないとき、閾値測定値が規定期間内に暗順応モデルに十分うまくマッチングできないとき、及び特定の指標ファクターが規定期間内に現れないときからなる群から選択する請求項６または７に記載の方法。
【請求項３８】
標的刺激が光スポットである請求項１または２９に記載の方法。
【請求項３９】
スポットが暗い背景上の明るいスポットである請求項３８に記載の方法。
【請求項４０】
スポットが明るい背景上の暗いスポットである請求項３８に記載の方法。
【請求項４１】
標的刺激が検査眼の桿体光受容体を刺激するのに有効な光のスペクトルを有する請求項１または２９に記載の方法。
【請求項４２】
標的刺激が少なくとも１つの４００から５５０ｎｍの波長を含む光のスペクトルを有する請求項１または２９に記載の方法。
【請求項４３】
標的刺激を黄斑及び黄斑の隣接部からなる群から選択される位置に当てる請求項１または２９に記載の方法。
【請求項４４】
標的刺激を中心窩周辺部の位置に当てる請求項１または２９に記載の方法。
【請求項４５】
標的刺激を垂直経線上の下方視野の２０°から垂直経線上の下方視野の２°の位置に当てる請求項１または２９に記載の方法。
【請求項４６】
標的刺激が視覚の１．５°から７．０°をカバーする請求項１または２９に記載の方法。
【請求項４７】
少なくとも１つの指標ファクターを少なくとも１つの閾値測定値、部分閾値曲線、全閾値曲線、暗順応パラメーター及びその組み合わせからなる群から選択し、暗順応パラメーターを錐体媒介感度回復の時定数、桿体媒介感度回復の時定数、錐体プラトー、桿体プラトー、桿体−錐体切断、桿体干渉、桿体媒介回復の第２成分の勾配、桿体媒介回復の第２成分の時定数、桿体媒介回復の第３成分の勾配、桿体媒介回復の第３成分の時定数、第２及び第３桿体媒介成分間の移動時間、無色化から最終閾値測定までの時間及びこれらの組み合わせからなる群から選択する請求項７または１１から１３のいずれかに記載の方法。
【請求項４８】
少なくとも１つの指標ファクターが桿体−錐体切断暗順応パラメーター、桿体干渉暗順応パラメーターまたはその両方である請求項７または１１から１３のいずれかに記載の方法。
【請求項４９】
少なくとも１つの閾値測定値を複数の選択閾値測定値、閾値測定値から作成した部分閾値曲線及び閾値測定値から作成した全閾値曲線からなる群から選択する請求項６または８から１０のいずれかに記載の方法。
【請求項５０】
無色化ステップを、検査眼を第１輝度レベルの無色化光に規定期間曝すことにより達成する請求項１に記載の方法。
【請求項５１】
無色化ステップが検査眼中のロドプシン分子の５０から１００％を不活化する請求項５０に記載の方法。
【請求項５２】
無色化光が無色光のフラッシュである請求項５０に記載の方法。
【請求項５３】
無色光のフラッシュが５．３６から７．６５ｌｏｇ暗順応トローランド／秒の強度を有する請求項５２に記載の方法。
【請求項５４】
暗順応状態を２０分未満で測定する請求項１から７のいずれかに記載の方法。
【請求項５５】
暗順応状態を１０分未満で測定する請求項１から７のいずれかに記載の方法。
【請求項５６】
暗順応状態を少なくとも８０％の特異性または８０％の感度で測定する請求項１から７のいずれかに記載の方法。
【請求項５７】
暗順応状態を少なくとも９０％の特異性または９０％の感度で測定する請求項１から７のいずれかに記載の方法。
【請求項５８】
ａ．所望スペクトル及び強度を有する標的刺激を発生させる手段、
ｂ．前記発生手段と連通した、検査眼に対する標的刺激を所望位置に表示する手段、
ｃ．被験者が被験者の標的刺激に対する反応を入力させることができる入力手段、及び
ｄ．前記発生手段、前記表示手段及び前記入力手段と連通した、スペクトル及び強度を変化させるために発生手段をコントロールし、被験者の標的刺激に対する反応、反応時間及び反応時の標的刺激の強度を記録し、その記録から少なくとも１つの閾値測定値を得ることができるコントロール手段
を含む被験者の検査眼における暗順応を精神身体的に測定するための装置。
【請求項５９】
更に、コントロール手段と連通して、被験者の少なくとも１つの閾値測定値を個人の集団からなる比較データベースからの対応閾値測定値と比較するための手段を含み、前記比較手段は比較データベース及び比較の結果を保存する請求項５８に記載の装置。
【請求項６０】
更に、コントロール手段と連通して、少なくとも１つの閾値測定値から少なくとも１つの指標ファクターを作成し、被験者の少なくとも１つの指標ファクターを個人集団からなる比較データベースからの対応の指標ファクターと比較する比較手段を含み、前記比較手段は比較データベース及び比較の結果を保存する請求項５８に記載の装置。
【請求項６１】
発生手段が、
ａ．標的刺激を発生させるための第１光源、
ｂ．標的刺激を表示手段に指向させる手段、
ｃ．標的刺激の強度をコントロールするための調節手段
を含む光学システムであり、前記した第１光源、指向手段及び調節手段はコントロール手段と連通しており、コントロール手段は少なくとも１つの第１光源及び調節手段をコントロールすることができる請求項５８に記載の装置。
【請求項６２】
表示手段がスクリーン、拡散体及びその組み合わせである請求項５８に記載の装置。
【請求項６３】
調節手段が中性フィルター、電子モジュレーターまたはその組み合わせである請求項６１に記載の装置。
【請求項６４】
指向手段が少なくとも１つのミラーである請求項６１に記載の装置。
【請求項６５】
更に、標的刺激を成形するためのリファイニング手段、標的刺激のスペクトルを選択するための選択手段、光学スプリッティングデバイス及び校正デテクタからなる群から選択される少なくとも１つの光学素子を含む請求項６１に記載の装置。
【請求項６６】
リファイニング手段が成形光学部品である請求項６５に記載の装置。
【請求項６７】
選択手段が光フィルターである請求項６５に記載の装置。
【請求項６８】
発生手段が、標的刺激を発生させるための発生源を含む電子システムである請求項５８に記載の装置。
【請求項６９】
表示手段がＬＥＤディスプレー、液晶ディスプレー、プラズマディスプレーまたはＣＲＴディスプレーである請求項６８に記載の方法。
【請求項７０】
更に、無色化光を発生させるための第２光源を含む請求項５８から６０のいずれかに記載の装置。
【請求項７１】
第２光源が電子ストロボであり、無色化光が無色光のフラッシュである請求項７０に記載の装置。
【請求項７２】
無色化光が検査眼中のロドプシン分子の５０から１００％を不活化する請求項７０に記載の装置。
【請求項７３】
無色化光が５．３６から７．６５ｌｏｇ暗順応トローランド／秒の強度を有する請求項７０に記載の装置。
【請求項７４】
少なくとも１つの指標ファクターが少なくとも１つの閾値測定値、部分閾値曲線、全閾値曲線、暗順応パラメーター及びその組み合わせからなる群から選択され、暗順応パラメーターが錐体媒介感度回復の時定数、桿体媒介感度回復の時定数、錐体プラトー、桿体プラトー、桿体−錐体切断、桿体干渉、桿体媒介回復の第２成分の勾配、桿体媒介回復の第２成分の時定数、桿体媒介回復の第３成分の勾配、桿体媒介回復の第３成分の時定数、第２及び第３桿体媒介成分間の移動時間、無色化から最終閾値測定までの時間及びこれらの組み合わせからなる群から選択される請求項６０に記載の装置。
【請求項７５】
少なくとも１つの指標ファクターが桿体−錐体切断暗順応パラメーター、桿体干渉暗順応パラメーターまたはその両方である請求項７４に記載の装置。
【請求項７６】
少なくとも１つの閾値測定値が複数の特定閾値測定値、部分閾値曲線及び全閾値曲線からなる群から選択される請求項５９に記載の装置。
【請求項７７】
更に、被験者の検査眼を適正に位置合わせするためのアラインメント手段を含む請求項５８から６０のいずれかに記載の装置。
【請求項７８】
アラインメント手段が、検査眼の適正なアラインメントを確実にし、モニターするための、調節可能な顎支え、標的固定光、無色化固定光またはカメラの少なくとも１つを含み、前記した標的固定光、無色化固定光及びカメラがコントロール手段と連通している請求項７７に記載の装置。
【請求項７９】
第１光源が少なくとも１つの発光ダイオードである請求項６１に記載の装置。
【請求項８０】
少なくとも１つの発光ダイオードが検査眼の桿体光受容体を刺激するのに有効なスペクトルを有する光を発する請求項７９に記載の装置。
【請求項８１】
スペクトルが４００から５５０ｎｍの少なくとも１つの波長を含む請求項８０に記載の装置。
【請求項８２】
少なくとも１つの発光ダイオードが広スペクトルの光を発し、検査眼の桿体光受容体を刺激するのに有効なスペクトルを選択手段により選択する請求項７９に記載の装置。
【請求項８３】
広スペクトルの光が白色光である請求項８２に記載の装置。
【請求項８４】
選択手段が光フィルターである請求項８２に記載の装置。
【請求項８５】
比較データベースを階層化基準に関して階層化し、階層化基準を使用して比較ステップで使用するための比較データベース内の個人の規定群を選択する請求項５９に記載の装置。
【請求項８６】
比較データベースを階層化基準に関して階層化し、階層化基準を使用して比較ステップで使用するための比較データベース内の個人の規定群を選択する請求項６０に記載の装置。
【請求項８７】
階層化基準が暗順応状態、危険因子または人口学的因子である請求項８５または８６に記載の装置。
【請求項８８】
危険因子を年齢、喫煙状態、肥満指数及び病的状態に関する状態からなる群から選択する請求項８７に記載の装置。
【請求項８９】
人口学的因子を年齢、人種及び性別からなる群から選択する請求項８７に記載の装置。
【請求項９０】
比較データベースが２０から８５歳の個人から構成されている請求項５９から６０または８５から８６のいずれかに記載の装置。
【請求項９１】
比較データベースが２０から４５歳の個人から構成されている請求項５９から６０または８５から８６のいずれかに記載の装置。
【請求項９２】
比較データベースが被験者と年齢整合しない個人から構成されている請求項５９から６０または８５から８６のいずれかに記載の装置。
【請求項９３】
比較データベースが比較データベースに包含後の規定期間内に暗順応障害を発症すると認められる個人を除いている請求項５９から６０または８５から８６のいずれかに記載の装置。
【請求項９４】
規定群を被験者の少なくとも１つの規定特性に基づいて選択する請求項８５から８６のいずれかに記載の装置。
【請求項９５】
コントロール手段が更にノイズ減少プロトコルを含み、少なくとも１つの閾値測定値をノイズ減少プロトコルにかける請求項５８から６０のいずれかに記載の装置。
【請求項９６】
ノイズ減少プロトコルが非破壊的ノイズ減少プロトコルである請求項９５に記載の装置。
【請求項９７】
非破壊的ノイズ減少プロトコルが閾値ガイダンス、曲線ガイダンスまたはその組み合わせである請求項９６に記載の装置。
【請求項９８】
閾値ガイダンスが、推定閾値測定値をベース閾値測定値またはベース閾値測定値のモデル適合と比較し、推定閾値測定値がベース閾値測定値またはモデル適合の推定ウィンドウ内に入るかを調べ、前記ウィンドウ内に入らない推定閾値測定値を捨てるかまたは前記ウィンドウ内に入らない推定閾値測定値を置換することを含む請求項９７に記載の装置。
【請求項９９】
曲線ガイダンスが、少なくとも１つの閾値測定値をその少なくとも１つの閾値測定値または少なくとも１つの閾値測定値のモデル適合にアンカーさせた規定幅を有する統計関数にかけ、前記幅を外れる閾値を捨てることを含む請求項９７に記載の装置。
【請求項１００】
比較手段が被験者の暗順応状態を測定するために比較結果を用いる請求項５９に記載の装置。
【請求項１０１】
被験者について求めた閾値測定値が障害基準を満たしているならば暗順応状態が害されていると見なされる請求項１００に記載の装置。
【請求項１０２】
健康な個人から構成されている比較データベースからの規定群を用いて比較を実施し、被験者について求めた少なくとも１つの閾値測定値の１つ以上が比較データベースからの対応閾値測定値の基準範囲を外れているときに障害基準を満たす請求項１０１に記載の装置。
【請求項１０３】
病的状態と診断された個人から構成されている比較データベースからの規定群を用いて比較を実施し、被験者について求めた少なくとも１つの閾値測定値の１つ以上が比較データベースからの対応閾値測定値の基準範囲に入っているときに障害基準を満たす請求項１０１に記載の装置。
【請求項１０４】
比較手段が被験者の暗順応状態を測定するために比較の結果を用いる請求項６０に記載の装置。
【請求項１０５】
被験者について求めた少なくとも１つの閾値測定値が障害基準を満たしているならば暗順応状態が害されていると見なされる請求項１０４に記載の装置。
【請求項１０６】
健康な個人から構成されている比較データベースからの規定群を用いて比較を実施し、被験者について求めた少なくとも１つの指標ファクターが比較データベースからの対応指標ファクターの基準範囲を外れているときに障害基準を満たす請求項１０５に記載の装置。
【請求項１０７】
病的状態と診断された個人から構成されている比較データベースからの規定群を用いて比較を実施し、被験者について求めた少なくとも１つの指標ファクターが比較データベースからの対応指標ファクターの基準範囲内に入っているときに障害基準を満たす請求項１０５に記載の装置。
【請求項１０８】
基準範囲を平均値±平均値の２標準偏差、切点、レシーバー操作曲線及び信頼区間からなる群から選択する請求項１０２から１０３または１０６から１０７のいずれかに記載の装置。
【請求項１０９】
被験者の暗順応障害の状態が、被験者が老人性黄斑変性、ビタミンＡ欠乏症、ソーズビー眼底ジストロフィー、晩発性常染色体優性網膜変性、糖尿病関連網膜障害及び糖尿病性網膜症からなる群から選択される病的状態の恐れがあることを示す請求項１０１から１０３または１０５から１０７のいずれかに記載の装置。
【請求項１１０】
被験者の暗順応障害の状態が、被験者が老人性黄斑変性、ビタミンＡ欠乏症、ソーズビー眼底ジストロフィー、晩発性常染色体優性網膜変性、糖尿病関連網膜障害及び糖尿病性網膜症からなる群から選択される病的状態を患っていることを示す請求項１０１から１０３または１０５から１０７のいずれかに記載の装置。
【請求項１１１】
被験者が老人性黄斑変性、ビタミンＡ欠乏症、ソーズビー眼底ジストロフィー、晩発性常染色体優性網膜変性、糖尿病関連網膜障害及び糖尿病性網膜症からなる群から選択される病的状態の恐れがあるとの診断を示唆するために、比較手段が比較の結果、被験者の規定特性及び暗順応障害の状態の少なくとも１つを用いる請求項１０１から１０３または１０５から１０７のいずれかに記載の装置。
【請求項１１２】
被験者が老人性黄斑変性、ビタミンＡ欠乏症、ソーズビー眼底ジストロフィー、晩発性常染色体優性網膜変性、糖尿病関連網膜障害及び糖尿病性網膜症からなる群から選択される病的状態を患っているとの診断を示唆するために、比較手段が比較の結果、被験者の規定特性及び暗順応障害の状態の少なくとも１つを用いる請求項１０１から１０３または１０５から１０７のいずれかに記載の装置。
【請求項１１３】
暗順応状態が２０分未満で測定される請求項５８から６０または９５から９９のいずれかに記載の装置。
【請求項１１４】
暗順応状態が１０分未満で測定される請求項５８から６０または９５から９９のいずれかに記載の装置。
【請求項１１５】
暗順応状態が少なくとも８０％の特異性または８０％の感度で測定される請求項５８から６０または９５から９９のいずれかに記載の装置。
【請求項１１６】
暗順応状態が少なくとも９０％の特異性または９０％の感度で測定される請求項５８から６０または９５から９９のいずれかに記載の装置。
【請求項１１７】
被験者から得たパラメーターを比較データベース中の対応パラメーターと比較するために使用し、個人の集団からなる被験者の暗順応状態を測定する際に使用するための比較データベース。
【請求項１１８】
パラメーターが被験者について求めた指標ファクターである請求項１１７に記載のデータベース。
【請求項１１９】
指標ファクターが少なくとも１つの閾値測定値、部分閾値曲線、全閾値曲線、暗順応パラメーター及びその組み合わせからなる群から選択され、暗順応パラメーターが錐体媒介感度回復の時定数、桿体媒介感度回復の時定数、錐体プラトー、桿体プラトー、桿体−錐体切断、桿体干渉、桿体媒介回復の第２成分の勾配、桿体媒介回復の第２成分の時定数、桿体媒介回復の第３成分の勾配、桿体媒介回復の第３成分の時定数、第２及び第３桿体媒介成分間の移動時間、無色化から最終閾値測定までの時間及びその組み合わせからなる群から選択される請求項１１８に記載のデータベース。
【請求項１２０】
パラメーターが被験者について求めた少なくとも１つの閾値測定値、部分閾値曲線または全閾値曲線である請求項１１７に記載のデータベース。
【請求項１２１】
比較データベースを階層化基準に対して階層化し、階層化基準を用いて比較に使用するための比較データベース内の個人の規定群を選択する請求項１１７に記載のデータベース。
【請求項１２２】
規定群を被験者の少なくとも１つの規定特性に基づいて選択する請求項１２１に記載のデータベース。
【請求項１２３】
階層化基準が暗順応状態、危険因子または人口学的因子である請求項１２１に記載のデータベース。
【請求項１２４】
危険因子が年齢、喫煙状態、肥満指数及び健康状態に関する状態からなる群から選択される請求項１２３に記載のデータベース。
【請求項１２５】
人口学的因子が年齢、人種及び性別からなる群から選択される請求項１２３に記載のデータベース。
【請求項１２６】
比較データベースが２０から８５歳の個人から構成されている請求項１１７から１２５のいずれかに記載のデータベース。
【請求項１２７】
比較データベースが２０から４５歳の個人から構成されている請求項１１７から１２５のいずれかに記載のデータベース。
【請求項１２８】
比較データベースが被験者に年齢整合していない個人から構成されている請求項１１７から１２５のいずれかに記載のデータベース。
【請求項１２９】
比較データベースが、個人がもはや包含基準を満たさないときに比較データベースからその個人を排除するように維持されている１１７から１２５のいずれかに記載のデータベース。
【請求項１３０】
包含基準が比較データベースに包含後の規定期間内での暗順応障害の発症である請求項１２９に記載のデータベース。
【請求項１３１】
規定期間が５年である請求項１３０であるデータベース。